(57)【要約】【課題】レール部材に隣接する飾り部材を配置しながら、ピアノ線等による不正行為を効果的に防止することのできる遊技機を提供する。【解決手段】パチンコ機１は、入賞口が配置される遊技領域Ｒを前面に有する遊技盤２と、遊技盤２前面における遊技領域Ｒの外側に設置されるコーナー飾り１４と、遊技領域Ｒを覆う透明板６を保持する前面扉８とを備えており、コーナー飾り１４の前部には、透明板６の後面ないしは前面扉８の後部（扉リブ５０の後端）と接触する外側リブ２６、下リブ２８ないし外リブ３０が形成されている。【選択図】図４
2008245997.tif 000002
【特許請求の範囲】
【請求項１】
入賞口が配置される遊技領域を前面に有する遊技盤と、
遊技盤前面における遊技領域の外側に設置される飾り部材と、
遊技領域を覆う透明板を保持する前面扉またはガラスユニットとを備えており、
飾り部材の前部に、透明板、前面扉および／またはガラスユニットの後部と接触する前方突出部が形成されている
ことを特徴とする遊技機。
【請求項２】
前面扉および／またはガラスユニットの後部に、飾り部材の前部と接触する後方突出部が形成されている
ことを特徴とする請求項１に記載の遊技機。
【請求項３】
前方突出部および／または後方突出部が、飾り部材または前面扉もしくはガラスユニットの強度を向上する壁体であるリブとして形成されている
ことを特徴とする請求項１または請求項２に記載の遊技機。
【発明の詳細な説明】
【技術分野】
【０００１】
本発明は、パチンコ機、スマートボール機等の遊技機に関する。
【背景技術】
【０００２】
ピアノ線等を遊技領域に至らせ、入賞口等に対し不正な操作をなす不正行為を防止する遊技機として、下記特許文献１に記載のものが知られている。この遊技機は、遊技領域の前側を覆う透明板が取り付けられる前面枠（前面扉）の後面において、遊技領域を区切るレール部材の外側または内側に重ねて配置される突条部を備えている。
【０００３】
【特許文献１】特開２００６−２０４６７６号公報
【発明の開示】
【発明が解決しようとする課題】
【０００４】
このような遊技機では、レール部材付近において突状部を受け入れる必要があるため、レール部材に隣接する飾り部材を配置し難い。
【０００５】
そこで、請求項１に記載の発明は、レール部材に隣接する飾り部材を配置しながら、ピアノ線等による不正行為を効果的に防止することのできる遊技機を提供することを目的としたものである。
【課題を解決するための手段】
【０００６】
上記目的を達成するために、請求項１に記載の発明は、入賞口が配置される遊技領域を前面に有する遊技盤と、遊技盤前面における遊技領域の外側に設置される飾り部材と、遊技領域を覆う透明板を保持する前面扉またはガラスユニットとを備えており、飾り部材の前部に、透明板、前面扉および／またはガラスユニットの後部と接触する前方突出部が形成されていることを特徴とするものである。
【０００７】
請求項２に記載の発明は、上記目的に加えて、更に不正防止効果を向上する目的を達成するため、上記発明にあって、前面扉および／またはガラスユニットの後部に、飾り部材の前部と接触する後方突出部が形成されていることを特徴とするものである。
【０００８】
請求項３に記載の発明は、上記目的に加えて、更に飾り部材等の剛性等を向上する目的を達成するため、上記発明にあって、前方突出部および／または後方突出部が、飾り部材または前面扉もしくはガラスユニットの強度を向上する壁体であるリブとして形成されていることを特徴とするものである。
【発明の効果】
【０００９】
請求項１に記載の発明によれば、飾り部材の前部に、透明板の後面等と接触する前方突出部が形成されているので、コンパクトな構成で装飾機能と不正防止機能とを発揮させることができる、という効果を奏する。
【００１０】
請求項２に記載の発明によれば、前面扉等の後部に、飾り部材の前面等と接触する後方突出部が形成されていることで、上記効果に加えて、更に不正防止機能を向上することができる、という効果を奏する。
【００１１】
請求項３に記載の発明によれば、各種突出部がリブを兼ねることで、上記効果に加えて、更に強度向上機能を発揮させることができる、という効果を奏する。
【発明を実施するための最良の形態】
【００１２】
以下、本発明に係る実施の形態の例につき、適宜図面に基づいて説明する。なお、本発明の形態は、これらの例に限定されない。
【００１３】
＜パチンコ機の構成＞
図１は遊技機としてのパチンコ機１の前側斜視説明図であって、パチンコ機１は、上下左右を覆う図示しない機枠と、上部前側に木製の遊技盤２（図２）を搭載可能で、機枠に対し片開き自在に取り付けられる金属製のミドル枠４と、遊技盤２を覆う透明板６を保持し、機枠ないしミドル枠４に対し片開き自在な合成樹脂製の前面扉８と、前面扉８の下方右において前方へ突出する発射ハンドル９を備える。
【００１４】
遊技盤２は、下側から右上まで延びる円弧状で金属製の外レール１０、および右下から左上まで延びる円弧状で合成樹脂製の内レール１２を前面辺縁に備えている。また、遊技盤２は、円弧状の内側面１３を有する飾り部材としての合成樹脂製のコーナー飾り１４（図３）を前面右側縁に備えており、コーナー飾り１４は、その内側面１３が外レール１０ないし内レール１２に連続するように配置されている。
【００１５】
なお、コーナー飾り１４は、上コーナー飾り１５と下コーナー飾り１６とが組み合わせられることで形成されている。下コーナー飾り１６の上部にはビス代１６ａが形成されるとともに、上コーナー飾り１５の下部には図示しないビス代１６ａとほぼ同寸の窪みが形成されており、上コーナー飾り１５と下コーナー飾り１６とは、窪みにビス代１６ａを入れた状態で２個のビス１６ｂをビス代１６ａと窪みに通すことで組み合わせられる。また、窪みの周りには、ビス代１６ａの引っ掛かる掛け部１６ｃが設けられており、ビス代１６ａは掛け部１６ｃに対して回り込む形状となっている。更に、ビス代１６ａの図示しないビス通過孔の周囲は突体となっている一方、窪みの対応する部分は当該突体（オス）を受入可能な円筒状の図示しない突体（メス）となっており、突体（メス）に突体（オス）が差し込まれている。
【００１６】
そして、外レール１０、コーナー飾り１４の内側面１３ないし内レール１２が、遊技盤２の前面をほぼ円形に区切っており、その内部は、図示しない各種入賞口、障害釘、表示装置等の配された遊技領域Ｒとなっている。なお、遊技盤２の左上であって、外レール１０の外側には、外レール１０の一部に沿い得る壁１７を有する合成樹脂製の壁部材１８（図６）が設けられており、壁１７の内側には、複数のリブ片１９が設けられている。壁部材１８の前面（の凸部）には、図示しないシールが貼られており、当該シールには、パチンコ機１に係る、製造番号、製造会社名、販売会社名、機種名等の情報が記載されている。
【００１７】
コーナー飾り１４は、内側面１３の他、上部が丸くその他がストレートである外側面２０、およびほぼ水平な下面２２を有しており、これら外側面２０ないし下面２２の前辺は、コーナー飾り１４の前面２４から前方へ突出するように形成されている（図３、図４）。これら各前方突出部は、コーナー飾り１４の強度（剛性）を向上する外側リブ２６ないし下リブ２８となっている。外側リブ２６のほぼ中央（上コーナー飾り１５の下部）には、後方へコ字状に複数欠かれた凹状部２９が形成されている。
【００１８】
また、外側面２２の上部外方には、外側面２２に沿う壁が形成されており、この壁もコーナー飾り１４の強度（剛性）を向上する外リブ３０となっている。なお、外リブ３０の外側において、これとほぼ直交する外小リブ３２が複数並べられているとともに、外リブ３０の内側において、これとほぼ直交する内小リブ３４が複数並べられている。また、外側面２０（外側リブ２６）、下面２２（下リブ２８）、外リブ３０（外小リブ３２、内小リブ３４）は、コーナー飾り１４の前部として一体である。
【００１９】
加えて、コーナー飾り１４の後面には、複数の突起４０が設けられている。突起４０は、円柱状の中心軸４２の周囲から複数の片４４がそれぞれ放射状に延びるように形成されている。コーナー飾り１４は、図５に示すように、対応する遊技盤２の孔４６に入れられることで位置決めされている。なお、各片４４の後方の角は斜めに取られている。
【００２０】
一方、図４ないし図５に示すように、前面扉８の後部であって、透明板６の裏から見て左側には、後方へ突出する後方突出部としての扉リブ５０が、前面扉８と一体に設けられている。扉リブ５０は、前面扉８のベース面に対しほぼ垂直で、内側面１３に沿うようなカーブの付与された上下方向に延びる壁であり、その後端は、前面扉８が閉じた場合におけるコーナー飾り１４の外側リブ２６の一部先端と接触するように配置されている。
【００２１】
そして、遊技盤２に取り付けられたコーナー飾り１４における外側リブ２６、下リブ２８ないし外リブ３０の各先端は、前面扉４が閉じられた際の透明板６との位置関係を示す図４ないし図５に示すように、当該透明板６の後面あるいは前面扉８の扉リブ５０との隙間が極めて狭くなる（ほとんど生じなくなる）ように突出し、透明板６の後面ないし前面扉８の扉リブ５０に接触している。また、前面扉８が閉じられて透明板６が遊技領域Ｒを覆った場合、前面扉８後部の扉リブ５０は、コーナー飾り１４前部の凹状部２９を通過する。
【００２２】
＜パチンコ機の作動内容＞
パチンコ機１においては、遊技盤２を搭載したミドル枠４を閉じ、更に透明板６を保持した前面扉８を閉じた状態で、遊技店等に設置し、遊技者等の遊技に供する（通常状態）。遊技者等による発射ハンドル９の操作に従って図示しない発射装置により発射された遊技球が、外レール１０と内レール１２との間を通って遊技領域Ｒ上部へ案内され、遊技領域Ｒを流下する。そして、遊技球が、遊技領域Ｒにおける各種の入賞装置に入賞した場合には、賞品球として、所定数の遊技球が、図示しない遊技球払出装置によって払い出される。
【００２３】
パチンコ機１では、通常状態において、コーナー飾り１４における外側リブ２６、下リブ２８ないし外リブ３０の各前端と透明板６の後面あるいは扉リブ５０とが接触しているため、ピアノ線等が機枠と前面扉８の隙間等から挿入され、遊技領域Ｒの右方ないし右下方に達したとしても、更に外側リブ２６ないし下リブ２８あるいは扉リブ５０を越えてコーナー飾り１４内側の遊技領域Ｒに到達することが極めて困難となる。しかも、パチンコ機１では、外側リブ２６、下リブ２８ないし外リブ３０によってコーナー飾り１４の強度が高められ、またコーナー飾り１４によって遊技盤２の脇が飾られており、更に扉リブ５０によって前面扉８の強度が高められている。
【００２４】
＜パチンコ機の効果＞
パチンコ機１は、入賞口が配置される遊技領域Ｒを前面に有する遊技盤２と、遊技盤２前面における遊技領域Ｒの外側に設置されるコーナー飾り１４と、遊技領域Ｒを覆う透明板６を保持する前面扉８とを備えており、コーナー飾り１４の前部には、透明板６の後面ないしは前面扉８の後部（扉リブ５０の後端）と接触する外側リブ２６、下リブ２８ないし外リブ３０が形成されているので、外側リブ２６、下リブ２８ないし外リブ３０と透明板６の後面等との隙間を極めて小さくすることができ、コーナー飾り１４の外側からピアノ線等が侵入し、各種入賞口等に対して不正な操作が施される事態を防止することができる。しかも、パチンコ機１では、コーナー飾り１４の前部を突出させることでピアノ線等の侵入を防止するので、コーナー飾り１４によって不正行為を防止しながら遊技領域Ｒの外側を飾ることができ、コンパクトな構成で装飾機能と不正防止機能とを具備することができる。
【００２５】
また、前面扉８の後部に、コーナー飾り１４の前部である外側リブ２６等と接触する扉リブ５０が形成されているので、不正行為をより一層効果的に防止することができる。
【００２６】
更に、パチンコ機１では、透明板６の後面等に接触するコーナー飾り１４の前方突出部が、コーナー飾り１４の強度を向上する壁体である外側リブ２６、下リブ２８ないし外リブ３０として形成されており、またコーナー飾り１４の前部に接触する後方突出部が、前面扉８の強度を向上する壁体である扉リブ５０として形成されているため、装飾機能、不正防止機能、および強度向上機能をコンパクトな構成で同時に具備することができる。
【００２７】
なお、パチンコ機１では、コーナー飾り１４を、上コーナー飾り１５と下コーナー飾り１６とに分け、複数のコーナー飾り部分からコーナー飾り１４を形成しているので、各種リブや突起４０等の設計の自由度を確保しながらコーナー飾り１４を形成し易いものとすることができ、更に破損や不良品の場合にも当該部分のみを交換すれば対応可能であってメンテナンス性を良好なものとすることができる。更に、上コーナー飾り１５と下コーナー飾り１６とを、ビス代１６ａを窪みに入れることで組み合わせ、あるいは掛け部１６ｃに合わせることで組み合わせ、または突体（オス）と突体（メス）を合わせることで組み合わせるので、上コーナー飾り１５と下コーナー飾り１６とがずれず、ビス１６ｂを通しやすい等、上コーナー飾り１５と下コーナー飾り１６とを組み付けやすくすることができる。
【００２８】
また、パチンコ機１では、外側リブ２６に扉リブ５０の通過を許す凹状部２９を設け、前面扉８が閉じられた場合に、外側リブ２６と扉リブ５０とが交差するようになっているので、扉リブ５０が遊技領域Ｒの外辺に沿う一方、外側リブ２６がストレートである等、扉リブ５０の配置と外側リブ２６の配置が異なるものであっても前面扉８を完全に閉鎖することができるし、扉リブ５０ないし外側リブ２６を越えてピアノ線等が通過する事態をより一層効果的に防止することができる。
【００２９】
更に、パチンコ機１では、外レール１０の外側に、外レール１０の一部に沿い得る壁１７を有する壁部材１８が設けられているので、より一層高度に不正防止を図ることができるし、壁部材１８に、パチンコ機１の製造番号等の遊技機情報を（シールにより）表示しているので、壁部材１８に情報提供機能と不正防止機能とを具備させ、コンパクトな構成で複数の機能を発揮させることができる。
【００３０】
＜変更例＞
なお、主に上記形態を変更して成る、本発明の他の形態を例示する。透明板を前面扉に直接取り付けず、透明板を保持するガラスユニットを、前面扉に取り付けるようにする。この場合、ガラスユニットの後部に後方突出部（リブ）を設けることができるし、前面扉に後方突出部（リブ）を設けることもできるし、ガラスユニットおよび前面扉の双方に後方突出部（リブ）を設けることもできる。
【００３１】
コーナー飾り前部の前方突出部あるいは前面扉後部の後方突出部につき、直方体状、角柱状、楕円柱状、角錐状、楕円錐状等としたり、二重あるいは多重の壁体（リブ）としたり、これらを適宜組み合わせたりする。コーナー飾りを、遊技領域の上方や下方、左方、または上方等から右方等にわたるように設置する。また、外側リブ、下リブ、外リブ、扉リブのいずれかを省略する。また、扉リブとコーナー飾りのリブとの合致に関し、凹状部を扉リブに、あるいは双方に設け、または省略する。
【００３２】
あるいは、コーナー飾りにつき、上コーナー飾りおよび下コーナー飾り（コーナー飾り部分）に分けず一体に形成したり、コーナー飾り部分を左右に分けて形成したり、３個以上に分け組み合わせて形成したりする。この場合、コーナー飾り部分の一部を他と異なる材質、大きさとすることもできる。また、コーナー飾り部分を、接着剤や両面テープで組み合わせる。ここで、ホットメルト系接着剤を始めとする分離可能な接着剤を用いれば、接着後であってもコーナー飾り部分を容易に分離することができ、メンテナンス性が良好となる。あるいは、ビスの数を１個または３個以上としたり、ビス代と窪みを互いに逆に設けたり、掛け部を逆側に設けたりする。
【００３３】
内レールを金属製としたり、外レールを合成樹脂製としたりする等、各種部材の材質を適宜変更する。なお、合成樹脂製である内レールあるいは外レール、コーナー飾り等にあっては、ポリカーボネート、ポリブチレンテレフタレート、ポリアミド、ポリエチレン、低密度ポリエチレン、高密度ポリエチレン、エチレン酢酸ビニル共重合体、ポリプロピレン、ポリメチルペンテン等のオレフィン系樹脂、ポリスチレン等のスチレン系樹脂、アクリロニトリル・ブタジエン・スチレン共重合合成樹脂（ＡＢＳ樹脂）、アクリル樹脂、ポリ塩化ビニル、塩化ビニリデン樹脂、ポリフッ化ビニリデン等のビニル系樹脂、ポリエチレンテレフタレート、ポリブチレンテレフタレート。ポリアリレート等のポリエステル系樹脂、液晶ポリエステル／液晶ポリマー、ポリアセタール、ポリフェニレンエーテル、ポリサルホン、ポリエーテルサルホン、ポリエーテルエーテルケトン、ポリフェニレンサルファイド等のポリエーテル系樹脂、ナイロン／ポリアミド等のポリアミド系樹脂、生分解性プラスチック、エラストマー、エポキシ樹脂、フェノール樹脂、メラミン、ガラス繊維強化プラスチック、ユリア樹脂、ウレタン樹脂、ジアリルフタレート樹脂、不飽和ポリエステル樹脂等、あるいはこれらの各種のブレンドポリマー（ポリマーアロイ）等を用いることができる。
【００３４】
コーナー飾りの外小リブや内小リブを単数あるいは多数とし、あるいはこれらの数を相違させ、またはいずれか一方ないし双方を省く。または、外小リブや内小リブの外リブに対する高さを、同等としたり、半分としたり、更に小さくしたりする。コーナー飾りの突起を単数あるいは多数としまたは省く。コーナー飾り後面の突起について、中心軸を角柱状としたり、片を単数あるいは多数としたり、片を曲線状にしたり、片の角を取らないようにしたり、片を中心軸より高くあるいは低くしたりする。壁部材のリブ片について単数あるいは多数とし、または省略する。壁部材における遊技機情報につき、文字の一体成形やレーザー刻印によって表示し、あるいは省略する。
【００３５】
また、上記のコーナー飾り等を、スマートボール等の他の遊技機に用いる。
【図面の簡単な説明】
【００３６】
【図１】本発明の実施形態に係るパチンコ機の前側開扉斜視図である。
【図２】図１のパチンコ機における遊技盤の（ａ）前面図、（ｂ）下面図、（ｃ）右面図、（ｄ）前側斜視図である。
【図３】図１のパチンコ機におけるコーナー飾りの（ａ）後面図、（ｂ）下面図、（ｃ）右面図、（ｄ）右前方斜視図、（ｅ）左前方斜視図である。
【図４】図１のパチンコ機における前面扉とコーナー飾りないし内外レールの位置関係を表す（ａ）斜視図、（ｂ）右面図である。
【図５】図１のパチンコ機における前面扉、コーナー飾りないし内外レール、および遊技盤の位置関係を表す（ａ）斜視図、（ｂ）右面図である。
【図６】図１のパチンコ機における壁部材の（ａ）前面図、（ｂ）斜視図である。
【符号の説明】
【００３７】
１    パチンコ機（遊技機）
２    遊技盤
６    透明板
８    前面扉
１４    コーナー飾り（飾り部材）
２６    外側リブ（前方突出部）
２８    下リブ（前方突出部）
５０    扉リブ（後方突出部）
Ｒ    遊技領域
【図１】
2008245997.tif 000003
【図２】
2008245997.tif 000004
【図３】
2008245997.tif 000005
【図４】
2008245997.tif 000006
【図５】
2008245997.tif 000007
【図６】
2008245997.tif 000008